(57)【要約】      （修正有）【課題】構造が簡単で、部品点数も少なく、低価格で製造出来、かつ、制動の為のレバー操作も容易な車椅子の肘掛を提供する。【解決手段】１，２，３共ビスで固定されているが回動可能とする。三角形の一辺を成している操作レバー４を手前に引くとその力が、加力棒５に加わり、加力棒５の穴１４と筒７の穴１５は針金等で固定されており、筒７が可動し、ブレーキレバー６に力が加わり車輪１８を制動する。つまみ１６を引っ張れば車椅子は可動する。可動すると操作レバー４は被介護者が前に転げ落ちるのを防ぐ役目も果たす。太り気味の人には操作レバー４を短くするか前に設置すれば十分対応可能である。【選択図】図１
0003156013.tif 000002
【実用新案登録請求の範囲】
【請求項１】
車椅子の左右の肘掛に直角に交じわらせた操作レバーを取り付け、座位前部の中央まで伸ばし、椅子の外側にあるブレーキレバーに筒をはめ込み、座ったままで座位前部の中央まで伸びている操作レバーを手前に引けばブレーキが掛かり、押し戻すと車椅子が可動可能となり、前記操作レバーを手前に引けば三角形のテコの力で前記操作レバーに連動している加力棒も同じ方向に可動し、加力棒と筒は針金等で固定されていて筒にも同じ方向に同じ力が伝わり、前記操作レバーから車輪に加わった力でブレーキが掛かる車椅子ブレーキ装置。 
【考案の詳細な説明】
【技術分野】
【０００１】
本考案は、車椅子のブレーキに係り、更に詳しくは、被介護者のブレーキの掛け忘れによる事故予防、安全性の確保に関する。
【背景技術】
【０００２】
従来より車椅子の安全性のために様々なブレーキ装置が提案されている。現存の車椅子のブレーキレバーは肘掛のサイドにあり（図４参照）、ブレーキレバーが肘掛より低位置に有るため被介護者の目に留らず、ブレーキ掛け忘れの最大の原因であり、殆どの介護施設で殆ど毎日事故が発生している現実が有る。例えば、特許文献１参照。
【先行技術文献】
【特許文献】
【０００３】
【特許文献１】特開２０００−８４００３号公報
【考案の概要】
【考案が解決しようとする課題】
【０００４】
現在市販されている車椅子のブレーキは、車椅子の左右両サイドの見えない所にブレーキレバーが取り付けられている車椅子が多く、その為痴呆症気味の人にはブレーキレバーに気が着きにくく、ブレーキを掛けるのを全く忘れる人も多く大変危険な状況下にある。現存の車椅子のブレーキレバーに連動する操作レバーを目の前に設置することにより、被介護者の目に留まり、ブレーキ掛け忘れを予防する装置。
【０００５】
座っただけでブレーキが解除され、立つとブレーキが掛かる自動ブレーキも考えられるが、痴呆症気味の人にとっては自分の身体、頭を使いリハビリに励む方が痴呆が進まないと言われている。この事からこのブレーキ装置はブレーキの掛け忘れだけでなく、痴呆の進行も遅らせると考えられるブレーキレバー装置の提供。
【課題を解決するための手段】
【０００６】
前記目的を達成するため、本考案は車椅子の左右の肘掛に直角に交わらせた操作レバーを取り付け、座位前方の中央まで伸ばし、車椅子のサイドに取り付けられているブレーキレバーに丁度良い太さの筒をはめ込み、座ったままで座位前方の中央まで伸びている操作レバーを手前に引けばブレーキが掛かり、押し戻すと車椅子が可動可能となるブレーキ装置を提供する。
【考案の効果】
【０００７】
操作レバーを前方に押しても、操作レバーと肘掛の下の板の角度が直角以上前に開かないよう肘掛の下の板にストッパーを取り付け、障害物・例えば窪み、段差、石ころ、等により車椅子が急に止まっても被介護者は前に転げ落ちるのを防ぐ役目も果たす車椅子ブレーキ装置。 
【０００８】
素材は、木、合成樹脂、金属等が考えられるが、木製が身体に優しく、安価であることも魅力的である。
【０００９】
操作レバーがすぐ目の前に有るので気が着き易く、操作レバーを引かないと操作レバーが邪魔になり車椅子からベッド、トイレ等に移動が出来なく、操作レバーを引くとブレーキが掛かる仕組みのため安全であり、且つ、操作レバーを前に押しても肘掛の下に平行に取り付けられた板にあるストッパーで操作レバーは前に動かない為、障害物に当たった時被介護者が転げ落ちるのを防ぐ効果も有る。極めて簡単な構造により被介護者の怪我等を回避でき、安全性をより向上させることができる。これらの事により介護士さんの心配と苦労も多少緩和されると考えられる。
【図面の簡単な説明】
【００１０】
【図１】実施形態に係る操作レバー４の概略斜視図、図１（ｂ）と図１（ｂ）を 取り付ける位置２１及びブレーキレバー６を示した図１（ａ）である。
【図２】図１を真上から見た図である。
【図３】図１を左真横から見た図である。
【図４】ブレーキレバー６を示した図である。
【考案を実施するための形態】
【００１１】
以下、本考案の実施形態を図面を参照しながら説明する、
【００１２】
図１には、本実施形態に係る操作レバー４の右斜め上からの斜視図、図１（ｂ）と、図１（ｂ）を取り付ける箇所２１を図１（ａ）に、図１（ａ）にはブレーキレバー６が図示されている。図２には、真上からの図が、又、図３には、左真横からの図がそれぞれ示されている。図１（ｂ）の図面を図１(ａ）の２１に取り付けるのがこの着目すべき構造であり、図１（ｂ）は左右対称に取り付けられる。図４はブレーキレバー６を図示した図である。
【００１３】
これらの図において、１は一番上に三角形の一辺を作る板１７と、その下に肘掛９と、更にその下に肘掛９と直角に交わらせた三角形のもう一辺となる操作レバー４が、車椅子の座位より前に９０度以上開かないようにするためのストッパー８と、ストッパー８の直下に肘掛９と平行に取り付けた板１０とをビスで固定している。が、可動可能である。ストッパー８は肘掛９と肘掛９と平行に取り付けた板１０との間に空間を作り、背の方では１９は肘掛９と肘掛９と平行に取り付けた板１０との間に空間を作るためのはめ込み板にないっている。
２は一番上に三角形の一辺を作る板１７と，更にその下に肘掛９と直角に交わらせた三角形のもう一辺となる操作レバー４との空間に板２０をはめ込みビスで固定されているが可動可能である。３は肘掛９と直角に交わらせた三角形のもう一辺となる操作レバー４と、肘掛９と平行に取り付けた板１０と平行に取り付けた加力棒５を直角にビスで固定しているが可動可能である。３は肘掛９の下に平行に取り付けた板１０と、１１，１２，１３で長方形を作り１０と１１の間に設置している。
【００１４】
ビスで固定されているが可動可能な１，２，３で三角形を作り、各図の操作レバー４を車輪１８側に引くと三角形のテコの応用で３を支点に操作レバー４と三角形の一辺を作っている１７の角度が大きくなり、操作レバー４と加力棒５はビスで固定されている可動可能な３を支点に加力棒５に力が加わり、加力棒５に加わった力により各図の筒７を押すことになり、加力棒５の１４と筒７の１５には穴があけてあり、針金あるいは紐でくくりつけられているので操作レバー４を手前に引いても前に押してもブレーキレバー６に力が伝わり、手前に引けばブレーキレバー６が車輪１８を制動し、前に押せばブレーキレバー６により車輪１８の制動がはずれる構造になっている。
【００１５】
被介護者が車椅子からベッド、トイレ等に移動する時には各図の操作レバー４を自分のお腹の方に引っ張り、引っ張った力がビスで固定されているが可動可能な支点３から加力棒５に伝わり、加力棒５が筒７を押し筒７の中のブレーキレバー６が三角形の一辺を成している操作レバー４から伝わった力により車椅子の車輪１８を止める。車椅子の車輪１８が止まってから移動するため被介護者にとっては極めて安全である。次に、ベッドやトイレから車椅子に座ろうとする時、車椅子のブレーキは掛かったままの状態であるため、手や膝や臀部に触れても車椅子は動かず、車椅子からずり落ちたり、車椅子に空かされ転んだりすること無く安心して安全に座ることが出来る。
【００１６】
座ってから車椅子を可動させるためには、図１、図２のつまみ１６を引っ張り、図１、図２のビスで固定されている２，３の角度を小さくすれば可動する。２，３の角度は肘掛９の下に平行に取り付けてある板１０に付いているストッパー８により、戻しても９０度以上にはならず、ストッパー８は窪みや段差や石ころ等で車椅子が急に止まっても被介護者が前に転げ落ちるのを防ぐ役目も果たす。図１、図２の加力棒５の穴１４と筒７の穴１５は針金等で固定されていて、前後に可動可能ある。
【００１７】
図１の肘掛９の下に平行に取り付けた板１０と１１，１２，１３で長方形を作り、長方形の中側の幅は約３cm、長さは約２５cmとする。三角形の一辺を成している操作レバー４と直角に交わっている加力棒５が前後に動く時の遊び幅を設ける為である。
【００１８】
図１（ｂ）の図面を図１（ａ）の２１に取り付けるのがこの重要な着目すべき構造であり、図１（ｂ）は左右対称に取り付けられる。図１（ａ）には図１（ｂ）の三角形の一辺を成す操作レバー４を図示している。図４は図１（ｂ）の図面を取り付けていない図である。６はブレーキレバーを示している。
【符号の説明】
【００１９】
１ ビスで固定部
２ 〃
３ 〃
４ 三角形の一辺を成す操作レバー図１（ａ）の４も同じ
５ 加力棒
６ ブレーキレバー
７ ブレーキレバー６を被せる筒
８ ストッパーであり９と１０の空間部
９ 肘掛
１０ 肘掛と平行な車椅子との取り付け板
１１ 長方形の一辺
１２ 長方形の一辺である幅３cmの板が付いた下にあり１０と１１を連結
１３ 長方形の一辺である幅３cmの板が付いた下にあり１０と１１を連結
１４ 加力棒５の穴
１５ 筒７の穴
１６ つまみ
１７ １，２を繋ぐ三角形の一辺
１８ 車輪
１９ ９と１０の空間部
２０ ４と１７の空間部
２１ 図１（ｂ）の取り付け箇所
【図１】
0003156013.tif 000003
【図２】
0003156013.tif 000004
【図３】
0003156013.tif 000005
【図４】
0003156013.tif 000006